(57)【要約】【課題】所定の燃料油をエンジンの燃料として使用する途中で他の種類の燃料油を前記エンジンの燃料に転換する船舶用燃料油の転換システムを開示する。【解決手段】前記船舶用燃料油の転換システムは、燃料油を供給する供給部と、前記供給部から燃料油を供給されて循環させる循環部と、前記供給部及び前記循環部を制御する制御部とを備え、前記供給部はそれぞれ異なる種類の燃料油を貯蔵する複数のタンクを備え、前記エンジンは前記循環部から燃料油を供給され、前記エンジンで使用されて残った燃料油は前記循環部を再循環し、前記制御部は前記複数のタンクから排出される燃料油の流量をそれぞれ制御して、前記エンジンに送られる燃料油の混合割合を調節する。【選択図】図１
2019535571.tif 000002
【特許請求の範囲】
【請求項１】
所定の燃料油をエンジンの燃料として使用する途中で他の種類の燃料油を前記エンジンの燃料に転換する船舶用燃料油の転換システムにおいて、
燃料油を供給する供給部；と
前記供給部から燃料油が供給されて、燃料油を循環させる循環部；と
前記供給部及び前記循環部を制御する制御部；とを備え、
前記供給部は、それぞれ異なる種類の燃料油を貯蔵する複数のタンクを備え、
前記エンジンは前記循環部から燃料油が供給され、前記エンジンで使用されずに残った燃料油は前記循環部を再循環し、
前記制御部は、前記複数のタンクから排出される燃料油の流量をそれぞれ制御して、前記エンジンに送られる燃料油の混合割合を調節することを特徴とする、船舶用燃料油の転換システム。
【請求項２】
前記供給部は、
前記複数のタンクから燃料油が排出される複数の排出ライン；と
前記複数の排出ライン上にそれぞれ設置される複数の調節バルブ；とをさらに備え、
前記制御部は、前記複数の調節バルブの開度をそれぞれ調節して燃料油の混合割合を調節することを特徴とする、請求項１に記載の船舶用燃料油の転換システム。
【請求項３】
前記供給部は、前記循環部に送られる燃料油の流量を測定する第１流量計をさらに備えることを特徴とする、請求項１に記載の船舶用燃料油の転換システム。
【請求項４】
前記第１流量計は、前記エンジンの単位時間当たりの燃料油消費量と同等の流量を指示することを特徴とする、請求項３に記載の船舶用燃料油の転換システム。
【請求項５】
前記供給部は、前記複数の排出ライン上にそれぞれ設置される複数の逆流防止バルブをさらに備えることを特徴とする、請求項２に記載の船舶用燃料油の転換システム。
【請求項６】
前記循環部は、燃料油の圧力を上昇させて燃料油を循環させる循環ポンプをさらに備えることを特徴とする、請求項１に記載の船舶用燃料油の転換システム。
【請求項７】
前記循環ポンプは、前記循環部を循環する燃料油の圧力を８〜１０ｂａｒに維持することを特徴とする、請求項６に記載の船舶用燃料油の転換システム。
【請求項８】
前記循環部は、前記エンジンの最大燃料消費量の約３倍に相当する流量が循環することを特徴とする、請求項１に記載の船舶用燃料油の転換システム。
【請求項９】
前記制御部は割合計算装置を備え、
前記循環部は、
前記エンジンに供給される燃料油の温度を測定する第１温度センサー；と
前記エンジンに供給される燃料油の粘度を測定する粘度センサー；とをさらに備え、
前記第１温度センサーが測定した燃料油の温度値と前記粘度センサーが測定した燃料油の粘度値とは、前記割合計算装置に送信され、
前記割合計算装置は、前記循環部を循環する燃料油に含まれる互いに異なる燃料油の混合割合を計算することを特徴とする、請求項１に記載の船舶用燃料油の転換システム。
【請求項１０】
前記割合計算装置は、
前記循環部を循環する燃料油に含まれる各成分の粘度をｃＳｔで表した値がｖである場合、「ＶＢＩ＝１４．５３４×ｌｎ（ｌｎ（ｖ＋０．８））＋１０．９７５」の式で粘度ブレンド指数（ＶＢＩ）を求め、
混合された燃料油におけるＡ成分の重量比をｗ＿Ａとし、各成分の重量比（ｗ）を同一温度で決定された値を使用した場合、「ＶＢＩ＿ｂｌｅｎｄ＝（ｗ＿Ａ×ＶＢＩ＿Ａ）＋（ｗ＿Ｂ×ＶＢＩ＿Ｂ）」式、混合された燃料油の粘度をｖ＿ｂｌｅｎｄとした場合、「ｖ＿ｂｌｅｎｄ＝ｅｘｐ｛ｅｘｐ（ＶＢＩ＿ｂｌｅｎｄ−１０．９７５）÷１４．５３４｝−０．８」式に基づいて、ｗ＿Ａとｗ＿Ｂとを求めることを特徴とする、請求項９に記載の船舶用燃料油の転換システム。
【請求項１１】
前記制御部は統合自動化システムをさらに備え、
前記統合自動化システムには、
前記割合計算装置で計算した燃料油の混合割合の値；と
前記第１温度センサーから前記割合計算装置に送信された燃料油の温度値；と
前記粘度センサーから前記割合計算装置に送信された燃料油の粘度値；とが前記割合計算装置から送信されることを特徴とする、請求項９に記載の船舶用燃料油の転換システム。
【請求項１２】
前記統合自動化システムは、
前記割合計算装置から送信された燃料油の粘度値が、前記エンジンで要求される粘度を満たすように、燃料油の温度と燃料油の混合割合とを調節し、
調節した燃料油の温度に関するフィードバックは、前記割合計算装置から送信された前記第１温度センサーが測定した温度値から受け、
調節した燃料油の混合割合に関するフィードバックは、前記割合計算装置から送信された前記粘度センサーが測定した粘度値から受けることを特徴とする、請求項１１に記載の船舶用燃料油の転換システム。
【請求項１３】
前記循環部は加熱器をさらに備え、
前記加熱器は、前記循環部を循環する燃料油の粘度が前記エンジンで要求される粘度より高い場合に、燃料油を加熱することを特徴とする、請求項１に記載の船舶用燃料油の転換システム。
【請求項１４】
前記循環部は冷却器をさらに備え、
前記冷却器は、前記循環部を循環する燃料油の粘度が前記エンジンで必要される粘度より低い場合に、燃料油を冷却することを特徴とする、請求項１に記載の船舶用燃料油の転換システム。
【請求項１５】
前記循環部は前記エンジンの下流に設置され、前記エンジンで使用されずに残った燃料油を一時貯蔵する燃料油管をさらに備えることを特徴とする、請求項１に記載の船舶用燃料油の転換システム。
【請求項１６】
所定の燃料油をエンジンの燃料として使用する途中で他の種類の燃料油を前記エンジンの燃料に転換する船舶用燃料油の転換方法において、
１）第２燃料油を供給する第２調節バルブを完全に開放し、第１燃料油を供給する第１調節バルブを完全に閉鎖し、前記エンジンに前記第２燃料油のみを供給し、
２）割合計算装置は、前記エンジンに供給される燃料油に含まれる互いに異なる燃料油の混合割合を計算し、
３）使用者から燃料油の転換信号が送信され、
４）前記第１燃料油が設定された時間当たりの流量分だけ増加しながら排出されるように前記第１調節バルブを徐々に開放し、
５）前記第１調節バルブが完全に開放されたら、第２燃料油が設定された時間当たりの流量分だけ減少しながら排出されるように前記第２調節バルブを徐々に閉めて、
６）前記第２制御バルブを完全に閉鎖して、前記割合計算装置によって計算された前記第１燃料油の割合が所定値以上になると、燃料油の転換が完了したと判断することを特徴とする、船舶用燃料油の転換方法。
【請求項１７】
前記割合計算装置は、前記エンジンに供給される燃料油の温度及び粘度を引数として使用して燃料油の混合割合を計算することを特徴とする、請求項１６に記載の船舶用燃料油の転換方法。
【請求項１８】
前記３）のステップで使用者から燃料油の転換信号が送信されたら、自動的に前記エンジンに供給される燃料油の粘度が設定され、
前記６）のステップで燃料油の転換が完了したと判断したら、自動的に前記エンジンに供給される燃料油の粘度が設定されることを特徴とする、請求項１７に記載の船舶用燃料油の転換方法。
【請求項１９】
船舶用エンジンに供給される燃料油を第１燃料油から第２燃料油に転換する方法において、
前記第１燃料油と前記第２燃料油との粘度が互いに異なり、
前記第１燃料油と前記第２燃料油とが混合されて前記エンジンに供給される時間が設定値以下になり、前記第１燃料油と前記第２燃料油とが混合されて発生する温度変化が設定値以下になるように、前記第１燃料油の流量と前記第２燃料油の流量とを制御する、船舶用燃料油の転換方法。
【請求項２０】
前記第１燃料油のみを前記エンジンに供給する状態で前記第２燃料油供給量を増加させた後、前記第２燃料油の供給量が最大になったら前記第１燃料油の供給量を減少させ、前記第２燃料油のみを前記エンジンに供給することを特徴とする、請求項１９に記載の船舶用燃料油の転換方法。
【請求項２１】
前記エンジンに供給される燃料油の粘度及び温度を引数として、前記エンジンに供給される燃料油の混合割合を計算して流量制御のフィードバックを受けることを特徴とする、請求項１９に記載の船舶用燃料油の転換方法。
【発明の詳細な説明】
【技術分野】
【０００１】
本発明は、所定の燃料油をエンジンの燃料として使用する途中で他の種類の燃料油をエンジンの燃料に転換する、船舶用燃料油の転換システム及び転換方法に関するものである。
【背景技術】
【０００２】
船舶に搭載したエンジンの燃料として使用する燃料油は、ＨＦＯ(Heavy Fuel Oil)、ＭＧＯ(Marine Gas Oil)、ＭＤＯ(Marine Diesel Oil)などがある。
【０００３】
ＨＦＯは原油からガソリン、灯油、軽油などを抽出した後で得られる黒褐色の粘性油であり、液体形態で得られる石油製品の中で最も密度が高い。ＨＦＯは引火点が約４０℃であり、灯油、軽油、特にガソリンに比べて蒸発させることが難しい。また、粘度が１８０〜７００ｃＳｔであって、エンジンで要求される１０〜２５ｃＳｔの粘度に合わせるためには、約１００〜１４０℃まで加熱する必要がある。ＨＦＯには水、異物、固形物などが混合されているため、清浄器の清浄過程を経たＨＦＯを船舶のエンジンに供給する。
【０００４】
ＭＧＯ及びＭＤＯは、ＨＦＯより高品質の船舶用燃料油であり、残渣油の有無と硫黄含有量によって区別される。ＭＧＯ及びＭＤＯは粘性が低いので、エンジンで要求される粘度を満たすために加熱装置を追加する必要がなく、また、発熱量が高く、残渣油が含まれない。ＭＧＯ及びＭＤＯは、硫黄酸化物(SOx)を発生する硫黄含有量がＨＦＯに比べて著しく低い。したがって、船舶が硫黄酸化物の排出規制地域を運航する場合や、硫黄酸化物の排出規制地域内の港を出入する場合、ＭＧＯまたはＭＤＯを使用する必要がある。しかし、ＭＧＯ及びＭＤＯはＨＦＯに比べて高価であり、また、エンジンが要求する最低粘度未満である場合に備え、粘度を上げるための別の冷却装置が必要となる。
【発明の概要】
【発明が解決しようとする課題】
【０００５】
ＨＦＯ、ＭＧＯ、ＭＤＯなどの燃料油は、化学的特性及び物理的特性と価格がそれぞれ異なるため、船舶の運航状況に応じて適切な燃料油に変更してエンジンに供給する必要がある。
【０００６】
異なる温度の燃料油を混合処理によって転換する場合、エンジンと各種装置に損傷を与えないように、混合燃料油における時間当たりの温度変化を所定値の以下に抑えながらも、エンジンに供給される混合燃料油の粘度を、エンジンで要求される燃料油の粘度を満たすために所定範囲内で維持しなければならない。もし、混合割合の調節が間違って混合された燃料油で急激な温度変化が起こる場合、エンジンと各種装置に急激な熱膨張または熱収縮が発生し、漏洩、潤滑機能の喪失、摩耗などの損傷が生じる虞がある。
【０００７】
また、長時間に亘って徐々に燃料を転換すると、混合する燃料油の急激な温度変化を防止することはできるが、転換時間が長くなるほど高価格のＭＧＯまたはＭＤＯの使用量が多くなるため経済的な損失が生じる。
【０００８】
本発明は、船舶の運航速度に影響を与えることなく、各種装置及びエンジンの性能と寿命に影響を与えずに、燃料消費の費用を最小限に抑えることができる、船舶用燃料油の転換システム及び転換方法を提供する。
【課題を解決するための手段】
【０００９】
前記目的を達成するため本発明の一実施形態では、所定の燃料油をエンジンの燃料として使用する途中で他の種類の燃料油を前記エンジンの燃料に転換する船舶用燃料油の転換システムにおいて、燃料油を供給する供給部と、前記供給部から燃料油が供給されて、燃料油を循環させる循環部と、前記供給部及び前記循環部を制御する制御部とを備え、前記供給部は、それぞれ異なる種類の燃料油を貯蔵する複数のタンクを備え、前記エンジンは前記循環部から燃料油が供給され、前記エンジンで使用されずに残った燃料油は前記循環部を再循環し、前記制御部は、前記複数のタンクから排出される燃料油の流量をそれぞれ制御して、前記エンジンに送られる燃料油の混合割合を調節する、船舶用燃料油の転換システムが提供される。
【００１０】
前記供給部は、前記複数のタンクから燃料油が排出される複数の排出ラインと、前記複数の排出ライン上にそれぞれ設置される複数の調節バルブとをさらに備え、前記制御部は、前記複数の調節バルブの開度をそれぞれ調節して燃料油の混合割合を調節する。
【００１１】
前記供給部は、前記循環部に送られる燃料油の流量を測定する第１流量計をさらに備える。
【００１２】
前記第１流量計は、前記エンジンの単位時間当たりの燃料油消費量と同等の流量を指示する。
【００１３】
前記供給部は、前記複数の排出ライン上にそれぞれ設置される複数の逆流防止バルブをさらに備える。
【００１４】
前記循環部は燃料油の圧力を上昇させて燃料油を循環させる循環ポンプをさらに備える。
【００１５】
前記循環ポンプは、前記循環部の循環する燃料油の圧力を８〜１０ｂａｒに維持する。
【００１６】
前記循環部は、前記エンジンの最大燃料消費量の約３倍に相当する流量が循環する。
【００１７】
前記制御部は割合計算装置を備え、前記循環部は、前記エンジンに供給される燃料油の温度を測定する第１温度センサーと、前記エンジンに供給される燃料油の粘度を測定する粘度センサーとをさらに備え、前記第１温度センサーが測定した燃料油の温度値と前記粘度センサーが測定した燃料油の粘度値とは、前記割合計算装置に送信され、前記割合計算装置は、前記循環部を循環する燃料油に含まれる互いに異なる燃料油の混合割合を計算する。
【００１８】
前記割合計算装置は、前記循環部を循環する燃料油に含まれる各成分の粘度をｃＳｔで表した値がｖである場合、「ＶＢＩ＝１４．５３４×ｌｎ（ｌｎ（ｖ＋０．８））＋１０．９７５」の式によって粘度ブレンド指数（ＶＢＩ）を求め、混合された燃料油のＡ成分の重量比をｗ＿Ａとし、各成分の重量比（ｗ）を同一温度で決定された値を使用した場合、「ＶＢＩ＿ｂｌｅｎｄ＝（ｗ＿Ａ×ＶＢＩ＿Ａ）＋（ｗ＿Ｂ×ＶＢＩ＿Ｂ）」の式と、混合された燃料油の粘度をｖ＿ｂｌｅｎｄとした場合、「ｖ＿ｂｌｅｎｄ＝ｅｘｐ｛ｅｘｐ（ＶＢＩ＿ｂｌｅｎｄ−１０．９７５）÷１４．５３４｝−０．８」の式によって、ｗ＿Ａとｗ＿Ｂとを求める。
【００１９】
前記制御部は統合自動化システムをさらに備え、前記統合自動化システムには、前記割合計算装置で計算した燃料油の混合割合の値と、前記第１温度センサーから前記割合計算装置に送信された燃料油の温度値と、前記粘度センサーから前記割合計算装置に送信された燃料油の粘度値とが前記割合計算装置から送信される。
【００２０】
前記統合自動化システムは、前記割合計算装置から送信された燃料油の粘度値が、前記エンジンで要求される粘度を満たすように、燃料油の温度と燃料油の混合割合とを調節し、調節した燃料油の温度に関するフィードバックは、前記割合計算装置から送信された前記第１温度センサーが測定した温度値から受けて、調節した燃料油の混合割合に関するフィードバックは、前記割合計算装置から送信された前記粘度センサーが測定した粘度値から受ける。
【００２１】
前記循環部は加熱器をさらに備え、前記加熱器は、前記循環部を循環する燃料油の粘度が前記エンジンで要求される粘度より高い場合に、燃料油を加熱する。
【００２２】
前記循環部は冷却器をさらに備え、前記冷却器は、前記循環部を循環する燃料油の粘度が前記エンジンで要求される粘度より低い場合に、燃料油を冷却する。
【００２３】
前記循環部は、前記エンジンの下流に設置され、前記エンジンで使用されて残った燃料油を一時貯蔵する燃料油管をさらに備える。
【００２４】
前記目的を達成するため本発明の他の一実施形態では、所定の燃料油をエンジンの燃料として使用する途中で他の種類の燃料油を前記エンジンの燃料に転換する船舶用燃料油の転換方法において、１）第２燃料油を供給する第２調節バルブを完全に開放し、第１燃料油を供給する第１調節バルブを完全に閉鎖し、前記エンジンに前記第２燃料油のみを供給し、２）割合計算装置は、前記エンジンに供給される燃料油に含まれる互いに異なる燃料油の混合割合を計算し、３）使用者から燃料油の転換信号が送信され、４）前記第１燃料油が設定された時間当たりの流量分だけ増加しながら排出されるように前記第１調節バルブを徐々に開放し、５）前記第１調節バルブが完全に開放されたら、第２燃料油が設定された時間当たりの流量分だけ減少しながら排出されるように前記第２調節バルブを徐々に閉鎖して、６）前記第２制御バルブを完全に閉鎖して、前記割合計算装置によって計算された前記第１燃料油の割合が所定値以上になると、燃料油の転換が完了したと判断する、船舶用燃料油の転換方法が提供される。
【００２５】
前記割合計算装置は、前記エンジンに供給される燃料油の温度と粘度とを引数として使用して燃料油の混合割合を計算する。
【００２６】
前記３）ステップで使用者から燃料油の転換信号が送信されたら、自動的に前記エンジンに供給される燃料油の粘度が設定され、前記６）のステップで燃料油の転換が完了したと判断したら、自動的に前記エンジンに供給される燃料油の粘度が設定される。
【００２７】
前記目的を達成するため本発明のさらに他の一実施形態では、船舶用エンジンに供給される燃料油を第１燃料油から第２燃料油に転換する方法において、前記第１燃料油と前記第２燃料油とは粘度が互いに異なり、前記第１燃料油と前記第２燃料油とが混合されて前記エンジンに供給される時間が設定値以下となり、前記第１燃料油と前記第２燃料油とが混合されて発生する温度変化が設定値以下になるように、前記第１燃料油の流量と前記第２燃料油の流量とを制御する、船舶用燃料油の転換方法が提供される。
【００２８】
前記船舶用燃料油の転換方法は、前記第１燃料油のみを前記エンジンに供給する状態で前記第２燃料油の供給量を増加させた後、前記第２燃料油の供給量が最大になったら前記第１燃料油の供給量を減少させて、前記第２燃料油のみを前記エンジンに供給する。
【００２９】
前記船舶用燃料油の転換方法は、前記エンジンに供給される燃料油の粘度及び温度を引数として、前記エンジンに供給される燃料油の混合割合を計算して流量制御のフィードバックを受ける。
【発明の効果】
【００３０】
本発明は、燃料油の転換が完了した時点を正確に予測して、硫黄酸化物の排出制限地域への進入が可能な時点を正確に知ることができる。また、燃料油の転換を確実に保証し、排出制限地域における排出規定を満足させることができる。
【００３１】
本発明は、燃料油の変更時間を最小限に抑え、比較的高い価格のＭＧＯまたはＭＤＯの使用量を最小限に抑えることができるため、燃料消費の費用を低減することができる。
【００３２】
本発明は、各装置で要求される燃料油の時間当たりの温度変化及び粘度を満足させて、装置の破損を最小限に抑えることができる。また、燃料油の転換を自動的に行うことで、人件費を低減することができると共に、精度を向上させることができる。
【００３３】
本発明は、燃料油の転換時において各装置を保護するための安全装置を備え、システム運用の安全性を高める。
【図面の簡単な説明】
【００３４】
【図１】本発明の第１実施形態に係る船舶用燃料油の転換システムの概略図。
【図２】本発明の第２実施形態に係る船舶用燃料油の転換システムの概略図。
【図３】本発明の第３実施形態に係る船舶用燃料油の転換システムの概略図。
【発明を実施するための形態】
【００３５】
以下、添付した図面を参照して、本発明の好ましい実施形態の構成及び作用を詳細に説明する。本発明の船舶用燃料油の転換システム及び転換方法を適用する船舶は、液化天然ガス運搬船、液化天然ガス燃料船、掘削船、海洋構造物などの様々な用途がある。また、本発明の船舶用燃料油の転換システム及び転換方法は、互いに異なる種類の燃料油を使用する全てのエンジンに適用することができる。下記の実施形態は、様々な他の形態に変更することが可能であり、本発明の範囲は下記の実施形態によって限定されない。
【００３６】
図１は、本発明の第１実施形態に係る船舶用燃料油の転換システムの概略図である。
【００３７】
図１を参照して、本実施形態の船舶用燃料油の転換システムは、供給部（１００）、循環部（２００）、及び制御部（３００）を備える。
【００３８】
本実施形態の供給部（１００）は、複数のタンク（Ｔ１，Ｔ２）、複数の調節バルブ（Ｖ１１，Ｖ１２）、及び供給ポンプ（１１０）を備え、複数のタンク（Ｔ１，Ｔ２）に貯蔵された燃料油を循環部（２００）に送る。
【００３９】
本実施形態の複数のタンク（Ｔ１，Ｔ２）は、互いに異なる種類の燃料油を貯蔵する。本実施形態の複数のタンク（Ｔ１，Ｔ２）はそれぞれ、ＨＦＯ供給タンク(HFO Service Tank)、ＨＦＯ沈降タンク(HFO Settling Tank)、ＨＦＯバンカータンク(HFO Bunker Tank)、ＭＤＯ供給タンク(MDO Service Tank)、ＭＤＯ貯蔵タンク(MDO Storage Tank)、ＭＧＯ供給タンク(MGO Service Tank)、ＭＧＯ貯蔵タンク(MGO Storage Tank)のいずれかである。
【００４０】
複数のタンク（Ｔ１，Ｔ２）から燃料油が排出される排出ライン（Ｌ１，Ｌ２）上にそれぞれ緊急遮断バルブ（Ｖ４１，Ｖ４２）を設置する。本実施形態の緊急遮断バルブ（Ｖ４１，Ｖ４２）は、空気または油圧で開閉が調節され、機関室内で火災が発生した場合に燃料油の供給を遮断して火災の拡大を防止するために設置される。
【００４１】
本実施形態では、２つのタンク（Ｔ１，Ｔ２）を備え、第１タンク（Ｔ１）はＭＧＯを貯蔵し、第２タンク（Ｔ２）はＨＦＯを貯蔵する場合を例に説明する。
【００４２】
本実施形態の複数の調節バルブ（Ｖ１１，Ｖ１２）は、複数のタンク（Ｔ１，Ｔ２）から燃料油が排出される複数の排出ライン（Ｌ１，Ｌ２）上にそれぞれ設置される。本実施形態が２つのタンク（Ｔ１，Ｔ２）を備える場合、第１タンク（Ｔ１）から燃料油が排出される第１排出ライン（Ｌ１）上には第１調節バルブ（Ｖ１１）が設置され、第２タンク（Ｔ２）から燃料油が排出される第２排出ライン（Ｌ２）上には第２調節バルブ（Ｖ１２）が設置される。
【００４３】
本実施形態の複数の調節バルブ（Ｖ１１，Ｖ１２）は、後述する制御部（３００）の統合自動化システム（IAS;Integrated Automation System，３２０）によって開度が調節され、複数のタンク（Ｔ１，Ｔ２）から供給ポンプ（１１０）に供給される燃料油の流量を調節する。また、本実施形態の複数の調節バルブ（Ｖ１１，Ｖ１２）は、平常時には統合自動化システム（３２０）によって自動的に開度が調節されるが、非常時には手動操作ができるように構成される。
【００４４】
本実施形態の供給ポンプ（１１０）は、複数のタンク（Ｔ１，Ｔ２）から排出された燃料油の圧力を上昇させて循環部（２００）に供給し、複数が並列に連結される。複数のタンク（Ｔ１，Ｔ２）からそれぞれ排出された互いに異なる種類の燃料油は、混合された後、供給ポンプ（１１０）に供給される。
【００４５】
本実施形態がＭＧＯを貯蔵した第１タンク（Ｔ１）とＨＦＯを貯蔵した第２タンク（Ｔ２）とを備える場合を例に説明すると、第１タンク（Ｔ１）から排出されたＭＧＯを供給ポンプ（１１０）に送る第１排出ライン（Ｌ１）と、第２タンク（Ｔ２）から排出されたＨＦＯを供給ポンプ（１１０）に送る第２排出ライン（Ｌ２）とは、供給ポンプ（１１０）の前段で合流し、第１タンク（Ｔ１）から排出されたＭＧＯと第２タンク（Ｔ２）から排出されたＨＦＯとは、供給ポンプ（１１０）の前段で混合された後で供給ポンプ（１１０）に送られる。
【００４６】
本実施形態の供給部（１００）は、前記供給ポンプ（１１０）の下流から分岐して前記供給ポンプ（１１０）の前段に合流するリターンライン（Ｌ３）をさらに備える。本実施形態のリターンライン（Ｌ３）は、供給ポンプ（１１０）が圧縮した燃料油のうちエンジン（Ｅ）で消費された量を超える燃料油を分岐させて供給ポンプ（１１０）の前段に送る。リターンライン（Ｌ３）上には、流体の流量と開閉を調節する第１バルブ（Ｖ３１）が設置される。
【００４７】
本実施形態の供給部（１００）は、供給ポンプ（１１０）の下流に設置される第１流量計（１２０）をさらに備える。本実施形態の第１流量計（１２０）は、複数のタンク（Ｔ１，Ｔ２）からそれぞれ排出された後で混合され、供給ポンプ（１１０）によって循環部（２００）に供給される燃料油の流量を測定する。本実施形態の第１流量計（１２０）によって測定された流量値は、統合自動化システム（３２０）に送信される。
【００４８】
循環部（２００）は燃料油を循環させてエンジン（Ｅ）に供給し、供給部（１００）はエンジン（Ｅ）で消費された燃料油の流量分だけを循環部（２００）に供給する。したがって、第１流量計（１２０）がエンジン（Ｅ）での時間当たりの燃料油消費量と同じ量の流量を指示するようにシステムを運用することになり、第１流量計（１２０）がエンジン（Ｅ）における時間当たりの燃料油消費量より少ないか多い流量を指示したらシステムに問題があることを検知する。
【００４９】
本実施形態の供給部（１００）は、複数のタンク（Ｔ１，Ｔ２）から燃料油を排出させる複数の排出ライン（Ｌ１，Ｌ２）上にそれぞれ設置される複数の逆流防止バルブ（Ｖ２１，Ｖ２２）をさらに備える。本実施形態が２つのタンク（Ｔ１，Ｔ２）を備える場合、第１タンク（Ｔ１）から燃料油が排出される第１排出ライン（Ｌ１）上に第１逆流防止バルブ（Ｖ２１）が設置され、第２タンク（Ｔ２）から燃料油が排出される第２排出ライン（Ｌ２）上に第２逆流防止バルブ（Ｖ２２）が設置される。
【００５０】
本実施形態の燃料油の転換システムでは、複数の調節バルブ（Ｖ１１，Ｖ１２）の全てが開いている状態が存在するため、一方のタンクから排出された燃料油が他方のタンクに流入する。本実施形態がＭＧＯを貯蔵した第１タンク（Ｔ１）とＨＦＯを貯蔵した第２タンク（Ｔ２）とを備える場合を例に説明すると、燃料油の転換時に第１調節バルブ（Ｖ１１）と第２調節バルブ（Ｖ１２）との両方が開いているので、第１タンク（Ｔ１）から排出されたＭＧＯの一部が第１調節バルブ（Ｖ１１）及び第２調節バルブ（Ｖ１２）を通って第２タンク（Ｔ２）に流入することも、第２タンク（Ｔ２）から排出されたＨＦＯの一部が第２調節バルブ（Ｖ１２）及び第１調節バルブ（Ｖ１１）を通って第１タンク（Ｔ１）に流入することもできる。
【００５１】
本実施形態の複数の逆流防止バルブ（Ｖ２１，Ｖ２２）は、一方のタンクから排出された燃料油が他方のタンクに流入することを防止して、各タンク（Ｔ１，Ｔ２）内で異種の燃料油が混合することを防止する。
【００５２】
本実施形態の循環部（２００）は、循環ポンプ（２１０）、第１温度センサー（２４１）、及び粘度センサー（２３０）を備え、供給部（１００）から供給された燃料油を循環させてエンジン（Ｅ）に供給する。
【００５３】
本実施形態の循環ポンプ（２１０）は、供給部（１００）から循環部（２００）に供給された燃料油の圧力を上昇させて燃料油を循環させ、複数が並列に連結される。本実施形態の循環部（２００）は、循環ポンプ（２１０）によって加圧されて約８〜１０ｂａｒの圧力を維持することが好ましい。
【００５４】
低粘度のＨＦＯをエンジン（Ｅ）の燃料として使用する場合、ＨＦＯをエンジン（Ｅ）で要求される粘度まで合わせるために、ＨＦＯの加熱が必要な場合がある。ＨＦＯを加熱するとＨＦＯに含まれる有機化合物、水などの不純物が気化し、気化した不純物がポンプを損傷させ、エンジン（Ｅ）における燃料油の噴射を妨げる恐れがある。
【００５５】
本実施形態の船舶用燃料油の転換システムでは、ＨＦＯの圧力を上昇させた後に加熱するため、不純物の圧力も高くなって不純物の沸点が上昇し、最終的にはＨＦＯに含まれる不純物の気化が防止される。一例として、ＨＦＯを約７ｂａｒで加圧すると、ＨＦＯに含まれる水は１７０℃付近で気化するため、ＨＦＯを約１３０℃に加熱しても水は気化しない。
【００５６】
本実施形態の循環部（２００）を循環していた燃料油は、エンジン（Ｅ）に供給されて燃料として使用され、エンジン（Ｅ）で使用されずに残った燃料油は、エンジン（Ｅ）から排出されて再び循環部（２００）を循環する。供給部（１００）は、エンジン（Ｅ）で消費された燃料油分だけを新たに循環部（２００）に供給し、循環部（２００）では平均的に一定流量が循環することになる。本実施形態の循環部（２００）では、エンジン（Ｅ）の最大燃料消費量の約３倍に相当する流量が循環することが好ましい。
【００５７】
本実施形態の第１温度センサー（２４１）は、エンジン（Ｅ）に供給される燃料油の温度を測定し、第１温度センサー（２４１）によって測定された燃料油の温度値は、割合計算装置（３１０）に送信される。
【００５８】
本実施形態の粘度センサー（２３０）は、エンジン（Ｅ）に供給される燃料油の粘度を測定し、粘度センサー（２３０）によって測定された燃料油の粘度値は、割合計算装置（３１０）に送信される。
【００５９】
本実施形態の循環部（２００）は、循環部（２００）を循環する燃料油を加熱する加熱器（２２０）をさらに備える。本実施形態の加熱器（２２０）は、循環部（２００）を循環する燃料油の粘度がエンジン（Ｅ）で要求される粘度より高い場合には、燃料油を加熱して粘度を下げる。本実施形態の加熱器（２２０）は、蒸気または電気を加熱源として使用することができ、加熱器（２２０）が蒸気を加熱源として使用する場合、加熱器（２２０）に蒸気流量と開閉とを調節する蒸気制御バルブ（Ｖ５２）を設置する。
【００６０】
エンジン（Ｅ）は約１０〜２５ｃＳｔの粘度を要求し、一般的にＨＦＯはエンジン（Ｅ）の要求粘度を合わせるために加熱が必要となるが、ＭＧＯやＭＤＯは別の加熱過程がなくてもエンジン（Ｅ）で要求される粘度を満たす場合がほとんどである。したがって、本実施形態の加熱器（２２０）は、特に、エンジン（Ｅ）でＨＦＯのみを燃料として使用する場合、又はＨＦＯと他の燃料油が混合された燃料油を燃料として使用する場合に用いられる。
【００６１】
本実施形態の循環部（２００）は、加熱器（２２０）と並列に連結される第２バルブ（Ｖ３２）をさらに備える。第２バルブ（Ｖ３２）は、燃料油を加熱器（２２０）で加熱する必要がなく、燃料油が加熱器（２２０）を迂回する場合に開放される。一例として、ＭＧＯ及びＭＤＯは粘性が低いので加熱器（２２０）で加熱しなくても良い。
【００６２】
本実施形態の循環部（２００）は、循環部（２００）を循環する燃料油を冷却する冷却器（２５０）をさらに備える。本実施形態の冷却器（２５０）は、循環部（２００）を循環する燃料油の粘度が、エンジン（Ｅ）で要求される粘度より低い場合には、燃料油を冷却して粘度を上昇させる。冷却器（２５０）は、冷却水などを冷媒で使用して燃料油を冷却し、本実施形態の船舶用燃料油の転換システムは、冷媒を冷却する別の冷却装置を備える。エンジン（Ｅ）が約１０〜２５ｃＳｔの粘度を必要とする場合もあり、特にＭＧＯは冷却器（２５０）による冷却過程を経て粘度を上昇させた後でエンジン（Ｅ）に供給する必要がある場合もある。
【００６３】
本実施形態において、供給部（１００）から循環部（２００）に供給された燃料油が冷却器（２５０）に送られるライン上に、三方バルブ（Ｖ６０）を設置し、三方バルブ（Ｖ６０）は燃料油を２つの流れに分岐させ、一方を冷却器（２５０）に送り、他方は冷却器（２５０）を迂回させてエンジン（Ｅ）に直接送られる。
【００６４】
本実施形態において、三方バルブ（Ｖ６０）によって分岐された燃料油が冷却器（２５０）に送られるライン上には、燃料油の流量と開閉とを調節する第３バルブ（Ｖ３３）が設置される。また、冷却器（２５０）によって冷却された燃料油が冷却器（２５０）から排出されるライン上には燃料油の逆流を防止する第３逆流防止バルブ（Ｖ２３）が設置される。
【００６５】
本実施形態において、冷却器（２５０）によって冷却された後で冷却器（２５０）から排出された燃料油は、三方バルブ（Ｖ６０）によって分岐された後で冷却器（２５０）を迂回した燃料油と合流してエンジン（Ｅ）に送られる。
【００６６】
本実施形態の循環部（２００）は、エンジン（Ｅ）の下流に設置され、エンジン（Ｅ）で使用されて残った燃料油を一時貯蔵して循環ポンプ（２１０）に供給する燃料油管（２４０）をさらに備える。
【００６７】
本実施形態の制御部（３００）は、割合計算装置（３１０）との統合自動化システム（３２０）を備え、供給部（１００）及び循環部（２００）を制御する。
【００６８】
本実施形態の割合計算装置（３１０）は、循環部（２００）を循環する燃料油を含む互いに異なる燃料油の混合割合を計算する。割合計算装置（３１０）による割合の計算過程は下記の通りである。
【００６９】
一応、混合燃料油に含まれる各成分の温度に対する粘度は、次式によって求めることができ、単一成分の燃料油の場合、次式によって直接粘度を求めることができる。ｖは粘度、Ｔは温度を意味する。
【００７０】
（数１）
ｌｏｇ（ｌｏｇ（ｖ＋０．７））＝Ｘ−｛Ｙ×ｌｏｇ（Ｔ＋２７３．１５）｝
【００７１】
前記式数１においてＸ，Ｙは燃料油の種類に依存する値であり、下記式数２により求められる。Ｖ１は燃料油の温度がＴ１の時の粘度、Ｖ２は燃料油の温度がＴ２の時の粘度を意味する。
【００７２】
（数２）
Ｘ＝ｌｏｇ（ｌｏｇ（Ｖ２＋０．７））＋Ｂ×ｌｏｇ（Ｔ２）
Ｙ＝｛ｌｏｇ（ｌｏｇ（Ｖ２＋０．７））−ｌｏｇ（ｌｏｇ（Ｖ１＋０．７））｝／｛ｌｏｇ（Ｔ１）−ｌｏｇ（Ｔ２）｝
【００７３】
また、混合された燃料油の粘度（ｖ＿ｂｌｅｎｄ）は、次の方法などで求めることができる。
【００７４】
まず、次式数３によって、混合された燃料油に含まれる各成分における粘度ブレンド指数(VBI;Viscosity Blending Index)を求める。ｖは、各成分の粘度をｃＳｔで表した値を意味する。
【００７５】
（数３）
ＶＢＩ＝１４．５３４×ｌｎ（ｌｎ（ｖ＋０．８））＋１０．９７５
【００７６】
次に、次式によって、混合された燃料油の粘度ブレンド指数（ＶＢＩ＿ｂｌｅｎｄ）を求める。ｗ＿Ａは混合された燃料油のＡ成分の重量比、ＶＢＩ＿Ａは第１ステップで求めたＡ成分の粘度ブレンド指数を意味する。各成分の重量比（ｗ）は、同じ温度で決定された値を使用する。
【００７７】
（数４）
ＶＢＩ＿ｂｌｅｎｄ＝（ｗ＿Ａ×ＶＢＩ＿Ａ）＋（ｗ＿Ｂ×ＶＢＩ＿Ｂ）＋・・・・
【００７８】
２つの燃料油を使用する場合の粘度ブレンド指数は次のように表す。
【００７９】
（数５）
ＶＢＩ＿ｂｌｅｎｄ＝（ｗ＿Ａ×ＶＢＩ＿Ａ）＋（ｗ＿Ｂ×ＶＢＩ＿Ｂ）
ＶＢＩ＿ｂｌｅｎｄ＝（（１−ｗ＿Ｂ）×ＶＢＩ＿Ａ）＋（ｗ＿Ｂ×ＶＢＩ＿Ｂ）
（∵ｗ＿Ａ＋ｗ＿Ｂ＝１）
【００８０】
一方、混合された燃料油の粘度（ｖ＿ｂｌｅｎｄ）は次のように表す。
【００８１】
（数６）
ｖ＿ｂｌｅｎｄ＝ｅｘｐ［ｅｘｐ｛（ＶＢＩ＿ｂｌｅｎｄ−１０．９７５）÷１４．５３４｝］−０．８
ｖ＿ｂｌｅｎｄ＋０．８＝ｅｘｐ［ｅｘｐ｛（ＶＢＩ＿ｂｌｅｎｄ−１０．９７５）÷１４．５３４｝］
ｌｎ（ｖ＿ｂｌｅｎｄ＋０．８）＝ｅｘｐ｛（ＶＢＩ＿ｂｌｅｎｄ−１０．９７５）÷１４．５３４｝
ｌｎ｛ｌｎ（ｖ＿ｂｌｅｎｄ＋０．８）｝＝（ＶＢＩ＿ｂｌｅｎｄ−１０．９７５）÷１４．５３４
ｌｎ｛ｌｎ（ｖ＿ｂｌｅｎｄ＋０．８）｝×１４．５３４＝ＶＢＩ＿ｂｌｅｎｄ−１０．９７５
ｌｎ｛ｌｎ（ｖ＿ｂｌｅｎｄ＋０．８）｝×１４．５３４＋１０．９７５＝ＶＢＩ＿ｂｌｅｎｄ
【００８２】
一例として、ＨＦＯとＭＧＯが１：１の重量比で混合された燃料油の温度が４７．６℃である場合、混合された燃料油の粘度を下記のように求める。４７．６℃でＭＧＯの粘度は２．８５ｃＳｔであり、４７．６℃でＨＦＯの粘度は２４５．０２ｃＳｔである。ｖ＿ＭＧＯはＭＧＯの粘度、ｖ＿ＨＦＯはＨＦＯの粘度を意味する。
【００８３】
ＶＢＩ＿ＭＧＯ＝１４．５３４×ｌｎ（ｌｎ（ｖ＿ＭＧＯ＋０．８））＋１０．９７５＝１４．５３４×ｌｎ（ｌｎ（２．８５＋０．８））＋１０．９７５＝１４．７２９１
ＶＢＩ＿ＨＦＯ＝１４．５３４×ｌｎ（ｌｎ（ｖ＿ＨＦＯ＋０．８））＋１０．９７５＝１４．５３４×ｌｎ（ｌｎ（２４５．０２＋０．８））＋１０．９７５＝３５．７６５９
ＶＢＩ＿ｂｌｅｎｄ＝（０．５×ＶＢＩ＿ＭＧＯ）＋（０．５×ＶＢＩ＿ＨＦＯ）＝（０．５×１４．７２９１）＋（０．５×３５．７６５９）＝２５．２４７５
∴ｖ＿ｂｌｅｎｄ＝ｅｘｐ｛ｅｘｐ（ＶＢＩ＿ｂｌｅｎｄ−１０．９７５）÷１４．５３４｝−０．８＝ｅｘｐ｛ｅｘｐ（２５．２４７５−１０．９７５）÷１４．５３４｝−０．８＝１３．６３７３ｃＳｔ
【００８４】
したがって、次のように数５と数６を連立してｗ＿Ｂを求め、燃料油の重量比を求めることができる。
【００８５】
（数７）
ｌｎ｛ｌｎ（ｖ＿ｂｌｅｎｄ＋０．８）｝×１４．５３４＋１０．９７５＝ＶＢＩ＿ｂｌｅｎｄ
ｌｎ｛ｌｎ（ｖ＿ｂｌｅｎｄ＋０．８）｝×１４．５３４＋１０．９７５＝（（１−ｗ＿Ｂ）×ＶＢＩ＿Ａ）＋（ｗ＿Ｂ×ＶＢＩ＿Ｂ）
（∵ＶＢＩ＿ｂｌｅｎｄ＝（（１−ｗ＿Ｂ）×ＶＢＩ＿Ａ）＋（ｗ＿Ｂ×ＶＢＩ＿Ｂ））
ｌｎ｛ｌｎ（ｖ＿ｂｌｅｎｄ＋０．８）｝×１４．５３４＋１０．９７５＝ＶＢＩ＿Ａ−（ｗ＿Ｂ×ＶＢＩ＿Ａ）＋（ｗ＿Ｂ×ＶＢＩ＿Ｂ）
ｌｎ｛ｌｎ（ｖ＿ｂｌｅｎｄ＋０．８）｝×１４．５３４＋１０．９７５＝ＶＢＩ＿Ａ＋ｗ＿Ｂ×（ＶＢＩ＿Ｂ−ＶＢＩ＿Ａ）
ｌｎ｛ｌｎ（ｖ＿ｂｌｅｎｄ＋０．８）｝×１４．５３４＋１０．９７５−ＶＢＩ＿Ａ＝ｗ＿Ｂ×（ＶＢＩ＿Ｂ−ＶＢＩ＿Ａ）
∴ｗ＿Ｂ＝［ｌｎ｛ｌｎ（ｖ＿ｂｌｅｎｄ＋０．８）｝×１４．５３４＋１０．９７５−ＶＢＩ＿Ａ］／（ＶＢＩ＿Ｂ−ＶＢＩ＿Ａ）
【００８６】
割合計算装置（３１０）による割合の計算は、次のプロセスで行われる。
【００８７】
第１ステップにおいて、配管を流れる混合燃料油の温度を温度センサー（２４１）で検知し、混合燃料油の粘度を粘度センサー（２３０）で検知する。
【００８８】
第２ステップにおいて、第１ステップで温度センサー（２４１）により検知した温度（Ｔ）と数１を用いて、温度Ｔにおける各成分の粘度（ｖ）を求める。
【００８９】
第３ステップにおいて、第２ステップで求めた粘度（ｖ）と数３を用いて各成分別の粘度ブレンド指数（ＶＢＩ）を求める。
【００９０】
第４ステップにおいて、第３ステップで求めた各成分別の粘度ブレンド指数（ＶＢＩ＿Ａ、ＶＢＩ＿Ｂ）と数５によって混合燃料油の粘度ブレンド指数（ＶＢＩ＿ｂｌｅｎｄ）を求める。
【００９１】
第５ステップにおいて、第４ステップで求めた混合燃料油の粘度ブレンド指数（ＶＢＩ＿ｂｌｅｎｄ）と、混合燃料油の粘度（ｖ＿ｂｌｅｎｄ）とに関する数６を用いて、各成分別の重量比（ｗ＿Ａ，ｗ＿Ｂ）を求める。第１ステップで粘度センサー（２３０）によって検知した粘度は、混合燃料油の粘度（ｖ＿ｂｌｅｎｄ）を表す。
【００９２】
第５ステップで燃料油における各成分別の重量比が分かれば、燃料油の各成分別の割合が分かる。
【００９３】
本実施形態の統合自動化システム（３２０）は、割合計算装置（３１０）が計算した混合割合から、複数の調節バルブ（Ｖ１１，Ｖ１２）の開度を調節して、燃料油の混合割合を調節することに関するフィードバックを受ける。
【００９４】
本実施形態の統合自動化システム（３２０）には、割合計算装置（３１０）で計算した燃料油の混合割合の値、第１温度センサー（２４１）から割合計算装置（３１０）に送信された燃料油の温度値、及び粘度センサー（２３０）から割合計算装置（３１０）に送信された燃料油の粘度値が、割合計算装置（３１０）から送信される。また、本実施形態の統合自動化システム（３２０）には、第１流量計（１２０）で測定した流量値が送信される。
【００９５】
本実施形態の統合自動化システム（３２０）は、割合計算装置（３１０）から送信される燃料油の粘度値がエンジン（Ｅ）で要求される粘度を満たすように、燃料油の温度と燃料油の混合割合とを調節し、調節した燃料油の温度に対するフィードバック(Feedback)は割合計算装置（３１０）から送信された第１温度センサー（２４１）が測定した温度値から受けて、調節された燃料油の混合割合のフィードバックは割合計算装置（３１０）から送信された粘度センサー（２３０）が測定した粘度値から受ける。
【００９６】
本実施形態の統合自動化システム（３２０）は、複数の調節バルブ（Ｖ１１，Ｖ１２）の開度を調節して燃料油の混合割合を調節し、本実施形態の循環部（２００）が蒸気制御バルブ（Ｖ５２）を備える場合には、蒸気制御バルブ（Ｖ５２）の開度を調節して燃料油の加熱程度を調節し、本実施形態の循環部（２００）が冷却器（２５０）と三方バルブ（Ｖ６０）とを備える場合には、三方バルブ（Ｖ６０）の開度を調節して燃料油の冷却度合を調節する。
【００９７】
本実施形態における船舶用燃料油の転換システムは、蒸気トレースバルブ（Steam Tracing Valve，Ｖ５１）をさらに備えて、本実施形態の統合自動化システム（３２０）は蒸気トレースバルブ（Ｖ５１）の開度を調節する。
【００９８】
本実施形態の蒸気トレースバルブ（Ｖ５１）は、長時間エンジンを停止したことにより、配管内でＨＦＯの温度が低下して移送できない場合に、ＨＦＯを加熱する目的で使用され、ＭＧＯまたはＭＤＯの場合には一般的に使用されない。
【００９９】
本実施形態の船舶用燃料油の転換システムは、ＭＧＯを貯蔵した第１タンク（Ｔ１）、ＨＦＯを貯蔵した第２タンク（Ｔ２）、冷却器（２５０）、第３バルブ（Ｖ３３）、及び三方バルブ（Ｖ６０）を備え、エンジン（Ｅ）が必要とする最大の要求粘度が２５ｃＳｔであり、エンジン（Ｅ）の燃料としてＨＦＯのみを供給する途中でエンジン（Ｅ）の燃料をＭＧＯに転換する場合を下記のように説明する。
【０１００】
エンジン（Ｅ）の燃料としてＨＦＯのみを供給する場合、第１調節バルブ（Ｖ１１）を完全に閉めて（０％）、第２調節バルブ（Ｖ１２）のみを完全に開放する（１００％）。エンジン（Ｅ）の燃料としてＨＦＯのみを供給する場合には、本実施形態の燃料油の転換システムによって、自動的に設定されたエンジン（Ｅ）に供給される燃料油の粘度は、１５ｃＳｔである。
【０１０１】
船舶が硫黄酸化物の排出規制地域に進入する予定の場合など、エンジン（Ｅ）の燃料をＨＦＯからＭＧＯに転換する必要があれば、使用者はエンジン（Ｅ）の燃料を、ＨＦＯからＭＧＯに転換する信号を本実施形態における燃料油の転換システムに送信する。
【０１０２】
使用者からのＨＦＯからＭＧＯに転換する信号が送信されると、本実施形態の燃料油の転換システムによって自動的に、エンジン（Ｅ）で要求される最大要求粘度より少し少ない値である２３ｃＳｔに、エンジン（Ｅ）に供給される燃料油の粘度が設定される。
【０１０３】
設定された粘度が１５ｃＳｔから２３ｃＳｔまで上昇したので、粘度を下げる役割をする加熱器（２２０）の負荷は０％に調節され、本実施形態の循環部（２００）が蒸気制御バルブ（Ｖ５２）を備える場合、統合自動化システム（３２０）は蒸気制御バルブ（Ｖ５２）を完全に閉鎖する。ただし、燃料油の温度が低下して粘度上昇が発生する場合があるが、燃料油の温度が低下する場合には燃料油の粘度が設定値を超えないように加熱器（２２０）が駆動され、統合自動化システム（３２０）が蒸気制御バルブ（Ｖ５２）を開放する。
【０１０４】
使用者からのＨＦＯからＭＧＯに転換する信号が送信されると、本実施形態の燃料油の転換システムは、第２調節バルブ（Ｖ１２）を完全に開放した状態（１００％）にして、完全に閉じた状態（０％）の第１調整バルブ（Ｖ１１）を徐々に開放する。第１調節バルブ（Ｖ１１）は、フィードバック制御(Feedback Control)によって徐々に開放される。
【０１０５】
フィードバック制御とは、制御された出力信号の一部を入力側に送り返すことで、目標値または基準値と比較してその差を制御用の操作信号で作り出す制御方法を意味し、フィードバック制御による信号伝送路は閉ループ(Closed Loop)を形成する。
【０１０６】
また、第１調節バルブ（Ｖ１１）の開度は、第１温度センサー（２４１）で測定される燃料油の単位時間（例えば１分）当たりの温度変化（ｄＴ／ｄｔは、Ｔは温度、ｔは時間）を変数として決定することができ、第１調節バルブ（Ｖ１１）は、第１温度センサー（２４１）で測定される燃料油の単位時間当たりの温度変化が２℃となる速度で徐々に開放するように、統合自動化システム（３２０）によって調節される。
【０１０７】
第１調節バルブ（Ｖ１１）が完全に開いたら（１００％）、本実施形態の燃料油の転換システムは、完全に開いた状態（１００％）の第２調節バルブ（Ｖ１２）を徐々に閉める。第２調節バルブ（Ｖ１２）は、フィードバック制御により徐々に閉鎖される。第２調節バルブ（Ｖ１２）の開度は、第１温度センサー（２４１）で測定される燃料油の単位時間（例えば１分）当たりの温度変化（ｄＴ／ｄｔ）を変数として決定することができ、第２調節バルブ（Ｖ１２）は、第１温度センサー（２４１）で測定される燃料油の単位時間当たりの温度変化が２℃となる速度で徐々に閉めるように、統合自動化システム（３２０）で調節される。
【０１０８】
一実施形態において、燃料油の種類をＨＦＯからＭＧＯに転換する場合、１３０℃のＨＦＯを４０℃のＭＧＯに転換する必要がある。すなわち、ＭＧＯの割合を次第に上昇させながら、ＭＧＯが１００％になった時、燃料油の温度が４０℃になる必要がある。
【０１０９】
燃料油の１分当たりの温度変化が、２℃となるように燃料油の温度を９０℃下げるためには４５分がかかるので、ＭＧＯを４５分間で０％から１００％に増加させれば良く、ＨＦＯを４５分間で１００％から０％に減少させれば良い。したがって、ＭＧＯの増加量＝ＨＦＯの減少量＝１００÷４５＝２．２２％となる。
【０１１０】
本実施形態では、上述の計算過程によってＭＧＯの増加量とＨＦＯの減少量とを決定し、第１調節バルブ（Ｖ１１）と第２調節バルブ（Ｖ１２）との開度を調節する。
【０１１１】
もし、制御途中の温度変化量が毎分２℃を超えると、フィードバック制御を停止し、現在の状態を維持して、温度変化量が毎分２℃になるように待機する。また、粘度が高くなる場合には、加熱器（２２０）を作動させて燃料油が最大許容粘度値を超えないようにする。
【０１１２】
第２調節バルブ（Ｖ１２）を完全に閉じると（０％）、第１調節バルブ（Ｖ１１）のみが完全に開いた状態（１００％）となり、供給部（１００）はＭＧＯのみを循環部（２００）に供給する。
【０１１３】
本実施形態の燃料油の転換システムは、割合計算装置（３１０）で計算された燃料油の混合割合において、ＭＧＯが９６％以上になると、燃料油の転換が完了したと判断する。燃料油の転換が完了してエンジン（Ｅ）にＭＧＯが供給されると判断した場合、本実施形態の燃料油転換システムによって自動的に、エンジン（Ｅ）に供給される燃料油の粘度が６ｃＳｔで設定される。
【０１１４】
また、燃料油の転換が完了してエンジン（Ｅ）にＭＧＯが供給されると判断した場合、本実施形態の燃料油の転換システムは、循環部（２００）を循環するＭＧＯの粘度をエンジン（Ｅ）で要求される粘度に合わせるために、三方バルブ（Ｖ６０）と第３バルブ（Ｖ３３）とを開いてＭＧＯを冷却器（２５０）に送る。
【０１１５】
図２は、本発明の第２実施形態に係る船舶用燃料油の転換システムの概略図である。
【０１１６】
図２に示した第２実施形態の船舶用燃料油の転換システムは、図１に示した第１実施形態の船舶用燃料油の転換システムと比較して、割合計算装置（３１０）を備えず、第２流量計（１２２）をさらに備えるという点で相違する。以下では相違点を中心に説明する。前述した第１実施形態の船舶用燃料油の転換システムと同一部材は、詳細な説明を省略する。
【０１１７】
図２を参照して、本実施形態の船舶用燃料油の転換システムは、第１実施形態と同様に、供給部（１００）、循環部（２００）、及び制御部（３００）を備える。
【０１１８】
本実施形態の供給部（１００）は、第１実施形態と同様に、複数のタンク（Ｔ１，Ｔ２）、複数の調節バルブ（Ｖ１１，Ｖ１２）、及び供給ポンプ（１１０）を備え、複数のタンク（Ｔ１，Ｔ２）に貯蔵された燃料油を循環部（２００）に送る。
【０１１９】
本実施形態の複数のタンク（Ｔ１，Ｔ２）は、第１実施形態と同様に、それぞれ異なる種類の燃料油を貯蔵し、それぞれ、ＨＦＯ供給タンク(HFO Service Tank)、ＨＦＯ沈降タンク(HFO Settling Tank)、ＨＦＯバンカータンク(HFO Bunker Tank)、ＭＤＯ供給タンク(MDO Service Tank)、ＭＤＯ貯蔵タンク(MDO Storage Tank)、ＭＧＯ供給タンク(MGO Service Tank)、ＭＧＯ貯蔵タンク(MGO Storage Tank)のいずれかである。
【０１２０】
複数のタンク（Ｔ１，Ｔ２）から燃料油が排出される排出ライン（Ｌ１，Ｌ２）上には、第１実施形態と同様に、それぞれ緊急遮断バルブ（Ｖ４１，Ｖ４２）が設置される。本実施形態の緊急遮断バルブ（Ｖ４１，Ｖ４２）は、第１実施形態と同様に、空気または油圧で開閉が調節され、機関室内で火災が発生した場合、燃料油の供給を遮断して火災の拡大を防止するために設置される。
【０１２１】
本実施形態も第１実施形態と同様に、２つのタンク（Ｔ１，Ｔ２）を備え、第１タンク（Ｔ１）はＭＧＯを貯蔵し、第２タンク（Ｔ２）はＨＦＯを貯蔵する場合を例に説明する。
【０１２２】
本実施形態の複数の調節バルブ（Ｖ１１，Ｖ１２）は、第１実施形態と同様に、複数のタンク（Ｔ１，Ｔ２）から燃料油が排出される複数の排出ライン（Ｌ１，Ｌ２）上にそれぞれ設置される。第１実施形態と同様に、本実施形態が２つのタンク（Ｔ１，Ｔ２）を備える場合、第１タンク（Ｔ１）から燃料油が排出される第１排出ライン（Ｌ１）上に第１調節バルブ（Ｖ１１）が設置され、第２タンク（Ｔ２）から燃料油が排出される第２排出ライン（Ｌ２）上に第２調節バルブ（Ｖ１２）が設置される。
【０１２３】
本実施形態の複数の調節バルブ（Ｖ１１，Ｖ１２）は、第１実施形態と同様に、後述する制御部（３００）の統合自動化システム（IAS;Integrated Automation System，３２０）によって開度が調節され、複数のタンク（Ｔ１，Ｔ２）から供給ポンプ（１１０）に供給される燃料油の流量を調節する。また、本実施形態の複数の調節バルブ（Ｖ１１，Ｖ１２）は、第１実施形態と同様に、平常時には統合自動化システム（３２０）によって自動的に開度が調節されるが、非常時には手動操作ができるように構成される。
【０１２４】
本実施形態の供給ポンプ（１１０）は、第１実施形態と同様に、複数のタンク（Ｔ１，Ｔ２）から排出された燃料油の圧力を上昇させて循環部（２００）に供給し、複数が並列に連結される。複数のタンク（Ｔ１，Ｔ２）からそれぞれ排出された互いに異なる種類の燃料油は、第１実施形態と同様に、互いに混合された後で供給ポンプ（１１０）に供給される。
【０１２５】
本実施形態がＭＧＯを貯蔵した第１タンク（Ｔ１）とＨＦＯを貯蔵した第２タンク（Ｔ２）とを備える場合を例に説明すると、第１実施形態と同様に、第１タンク（Ｔ１）から排出されたＭＧＯを供給ポンプ（１１０）に送る第１排出ライン（Ｌ１）と、第２タンク（Ｔ２）から排出されたＨＦＯを供給ポンプ（１１０）に送る第２排出ライン（Ｌ２）とは、供給ポンプ（１１０）の前段で合流し、第１タンク（Ｔ１）から排出されたＭＧＯと第２タンク（Ｔ２）から排出されたＨＦＯとは供給ポンプ（１１０）の前段で混合された後で供給ポンプ（１１０）に送られる。
【０１２６】
本実施形態の供給部（１００）は、第１実施形態と同様に、前記供給ポンプ（１１０）の下流から分岐して前記供給ポンプ（１１０）の前段に合流するリターンライン（Ｌ３）をさらに備える。本実施形態のリターンライン（Ｌ３）は、第１実施形態と同様に、供給ポンプ（１１０）が圧縮した燃料油の中でエンジン（Ｅ）の消費量を超える燃料油を分岐させて供給ポンプ（１１０）の前段に送る。リターンライン（Ｌ３）上には、第１実施形態と同様に、流体の流量と開閉とを調節する第１バルブ（Ｖ３１）が設置される。
【０１２７】
ただし、本実施形態の供給部（１００）は、第１実施形態とは異なり、供給ポンプ（１１０）の下流に設置される第１流量計（１２０）だけでなく、複数のタンク（Ｔ１，Ｔ２）から燃料油が排出される複数の排出ライン（Ｌ１，Ｌ２）の一部または全部にそれぞれ設置される第２流量計（１２２）をさらに備える。
【０１２８】
本実施形態の第１流量計（１２０）は、第１実施形態と同様に、複数のタンク（Ｔ１，Ｔ２）からそれぞれ排出された後に混合され、供給ポンプ（１１０）によって循環部（２００）に供給される燃料油の流量を測定する。
【０１２９】
本実施形態における船舶用燃料油の転換システムは、第１実施形態と同様に、第１流量計（１２０）がエンジン（Ｅ）の時間当たりの燃料油の消費量などの流量を指示するように運用され、第１流量計（１２０）がエンジン（Ｅ）における時間当たりの燃料油の消費量より少ないか多い流量を指示したらシステムに問題があることを検知する。
【０１３０】
本実施形態の第２流量計（１２２）は、前記第２流量計（１２２）が設置された排出ライン（Ｌ１またはＬ２）の前段でタンク（Ｔ１またはＴ２）から排出される燃料油の流量を測定する。第１流量計（１２０）は、複数のタンク（Ｔ１，Ｔ２）から排出された後で混合されて循環部（２００）に供給される燃料油の流量を測定するので、第１流量計（１２０）が測定した流量値から、第２流量計（１２２）が測定した一方のタンク（Ｔ１またはＴ２）から排出された燃料油の流量値を減算すると、他のタンクから排出された燃料油の流量を知ることができる。
【０１３１】
本実施形態がＭＧＯを貯蔵した第１タンク（Ｔ１）とＨＦＯを貯蔵した第２タンク（Ｔ２）とを備える場合、図２に示すように、第２流量計（１２２）は第１排出ライン（Ｌ１）上に設置されて、第１タンク（Ｔ１）から排出されるＭＧＯの流量を測定する。第１流量計（１２０）が測定した流量値から第２流量計（１２２）が測定した流量値を減算すると、第２タンク（Ｔ２）から排出されるＨＦＯの流量を知ることができるので、ＭＧＯとＨＦＯとの混合割合を知ることができる。
【０１３２】
また、第１流量計（１２０）によって測定された流量値、第２流量計（１２２）によって測定された流量値と、次の式を利用して、燃料油の転換が完了した時間（ｔ）を計算する。Ｙは転換しようとする燃料油の量、Ｖは燃料油が循環する配管の全体積と各装置の内部体積の合計、Ｙ０は燃料油の転換の開始時に混合された燃料油が含まれる転換しようとする燃料油の初期量、ＦＯＣはエンジンにおいて単位時間あたりに消費される燃料油の流量、ｔは経過時間を意味する。ＦＯＣは、第１流量計（１２０）によって測定された流量値の変化量によって知ることができる。
【０１３３】
（数８）
Ｙ＝Ｖ＋（Ｙ０−Ｖ）×ｅｘｐ（−ＦＯＣ×ｔ÷Ｖ）
【０１３４】
一実施形態において、ＨＦＯをＭＧＯに転換する場合、Ｙは転換しようとするＨＦＯの量を示し、Ｙ０は燃料油の転換を開始する時の初期ＨＦＯの量であり一般的に０である。また、ＭＧＯが９６％以上になったら燃料油の転換が完了したと判断することができ、ＭＧＯが９６％以上になる時点のｔが燃料油の転換が完了した時間である。
【０１３５】
本実施形態の第１流量計（１２０）によって測定された流量値と第２流量計（１２２）によって測定された流量値とは、統合自動化システム（３２０）に送信される。
【０１３６】
本実施形態の供給部（１００）は、第１実施形態と同様に、複数のタンク（Ｔ１，Ｔ２）から燃料油を排出させる複数の排出ライン（Ｌ１，Ｌ２）上にそれぞれ設置される複数の逆流防止バルブ（Ｖ２１，Ｖ２２）をさらに備える。本実施形態が２つのタンク（Ｔ１，Ｔ２）を備える場合、第１実施形態と同様に、第１タンク（Ｔ１）から燃料油が排出される第１排出ライン（Ｌ１）上に第１逆流防止バルブ（Ｖ２１）が設置され、第２タンク（Ｔ２）から燃料油が排出される第２排出ライン（Ｌ２）上に第２逆流防止バルブ（Ｖ２２）が設置される。
【０１３７】
本実施形態の複数の逆流防止バルブ（Ｖ２１，Ｖ２２）は、第１実施形態と同様に、一方のタンクから排出された燃料油が他方のタンクに流入することを防止し、各タンク（Ｔ１，Ｔ２）内で異種の燃料油が混合することを防止する。
【０１３８】
本実施形態の循環部（２００）は、第１実施形態と同様に、循環ポンプ（２１０）、第１温度センサー（２４１）、及び粘度センサー（２３０）を備え、供給部（１００）から供給された燃料油を循環させてエンジン（Ｅ）に供給する。
【０１３９】
本実施形態の循環ポンプ（２１０）は、第１実施形態と同様に、供給部（１００）から循環部（２００）に供給された燃料油の圧力を上昇させて燃料油を循環させ、複数が並列に連結される。本実施形態の循環部（２００）は、循環ポンプ（２１０）によって加圧されて約８〜１０ｂａｒの圧力を維持することが好ましい。
【０１４０】
本実施形態の船舶用燃料油の転換システムは、第１実施形態と同様に、ＨＦＯの圧力を上昇させた後に加熱するので、不純物の圧力も高くなって不純物の沸点が高くなり、最終的にＨＦＯに含まれる不純物の気化が防止される。
【０１４１】
第１実施形態と同様に、本実施形態の循環部（２００）を循環する燃料油は、エンジン（Ｅ）に供給されて燃料として使用され、エンジン（Ｅ）で使用されずに残った燃料油は、エンジン（Ｅ）から排出されて再び循環部（２００）を循環する。供給部（１００）は、エンジン（Ｅ）で消費された燃料油分だけを新たに循環部（２００）に供給し、循環部（２００）には平均的に一定の流量が循環することになる。本実施形態の循環部（２００）には、第１実施形態と同様に、エンジン（Ｅ）の最大燃料消費量の約３倍に相当する流量が循環することが好ましい。
【０１４２】
本実施形態の第１温度センサー（２４１）は、第１実施形態と同様に、エンジン（Ｅ）に供給される燃料油の温度を測定する。ただし、第１温度センサー（２４１）によって測定された燃料油の温度値は、第１実施形態とは異なり、統合自動化システム（３２０）に送信される。
【０１４３】
本実施形態の粘度センサー（２３０）は、第１実施形態と同様に、エンジン（Ｅ）に供給される燃料油の粘度を測定する。ただし、粘度センサー（２３０）によって測定された燃料油の粘度値は、第１実施形態とは異なり、統合自動化システム（３２０）に送信される。
【０１４４】
本実施形態の循環部（２００）は、第１実施形態と同様に、循環部（２００）を循環する燃料油を加熱する加熱器（２２０）をさらに備える。本実施形態の加熱器（２２０）は、第１実施形態と同様に、循環部（２００）を循環する燃料油の粘度がエンジン（Ｅ）で要求される粘度よりも高い場合には、燃料油を加熱して粘度を下げることになり、蒸気または電気を加熱源として使用する。本実施形態の加熱器（２２０）が蒸気を加熱源として使用する場合、第１実施形態と同様に、加熱器（２２０）には蒸気流量と開閉とを調節する蒸気制御バルブ（Ｖ５２）を連結する。
【０１４５】
本実施形態の加熱器（２２０）は、第１実施形態と同様に、特にエンジン（Ｅ）でＨＦＯのみを燃料として使用するか、ＨＦＯと他の燃料油とが混合された燃料油を燃料として使用する場合に用いられる。
【０１４６】
本実施形態の循環部（２００）は、第１実施形態と同様に、加熱器（２２０）と並列に連結される第２バルブ（Ｖ３２）をさらに備える。第２バルブ（Ｖ３２）は、燃料油を加熱器（２２０）によって加熱する必要がないため、燃料油が加熱器（２２０）を迂回する場合に開放する。一実施形態において、ＭＧＯとＭＤＯとは粘性が低いので、加熱器（２２０）によって加熱しなくても良い場合がある。
【０１４７】
本実施形態の循環部（２００）は、第１実施形態と同様に、循環部（２００）を循環する燃料油を冷却する冷却器（２５０）をさらに備える。本実施形態の冷却器（２５０）は、第１実施形態と同様に、循環部（２００）を循環する燃料油の粘度がエンジン（Ｅ）で要求される粘度より低い場合には、燃料油を冷却して粘度を上昇させ、特にＭＧＯの場合には冷却器（２５０）による冷却過程を経て粘度を上昇させた後でエンジン（Ｅ）に供給する必要がある場合がある。
【０１４８】
本実施形態の冷却器（２５０）は、第１実施形態と同様に、冷却水などを冷媒として使用して燃料油を冷却し、本実施形態の船舶用燃料油の転換システムは、第１実施形態と同様に、冷媒を冷却する別の冷却装置を備える。
【０１４９】
本実施形態の供給部（１００）から循環部（２００）に供給された燃料油が冷却器（２５０）に送られるライン上には、第１実施形態と同様に、三方バルブ（Ｖ６０）が設置され、三方バルブ（Ｖ６０）は燃料油を２つの流れに分岐させ、一方を冷却器（２５０）に送り、他方は冷却器（２５０）を迂回させてエンジン（Ｅ）に直接送られる。
【０１５０】
本実施形態の三方バルブ（Ｖ６０）によって分岐した燃料油が冷却器（２５０）に送られるライン上には、第１実施形態と同様に、燃料油の流量と開閉とを調節する第３バルブ（Ｖ３３）が設置される。また、冷却器（２５０）によって冷却された燃料油が冷却器（２５０）から排出されるライン上には、第１実施形態と同様に、燃料油の逆流を防止する第３逆流防止バルブ（Ｖ２３）を設置する。
【０１５１】
本実施形態の冷却器（２５０）によって冷却された後で冷却器（２５０）から排出された燃料油は、第１実施形態と同様に、三方バルブ（Ｖ６０）によって分岐した後に冷却器（２５０）を迂回した燃料油と合流してエンジン（Ｅ）に送られる。
【０１５２】
本実施形態の循環部（２００）は、第１実施形態と同様に、エンジン（Ｅ）の下流に設置され、エンジン（Ｅ）で使用されて残った燃料油を一時貯蔵して循環ポンプ（２１０）に供給する燃料油管（２４０）をさらに備える。
【０１５３】
本実施形態の制御部（３００）は、第１実施形態と同様に、統合自動化システム（３２０）を備え、供給部（１００）及び循環部（２００）を制御する。
【０１５４】
ただし、本実施形態の制御部（３００）は、第１実施形態とは異なり、割合計算装置（３１０）を備えず、本実施形態の船舶用燃料油の転換システムは、第１流量計（１２０）と第２流量計（１２２）とで測定された流量値を利用して燃料油の混合割合を計算する。
【０１５５】
本実施形態の統合自動化システム（３２０）には、第１流量計（１２０）で測定した流量値、第２流量計（１２２）で測定した流量値、第１温度センサー（２４１）で測定した温度値、及び粘度センサー（２３０）で測定した粘度値が送信される。
【０１５６】
本実施形態の統合自動化システム（３２０）は、第１流量計（１２０）で測定した流量値と第２流量計（１２２）で測定した流量値とを用いて、エンジン（Ｅ）に供給される燃料油の混合割合を計算する。
【０１５７】
また、本実施形態の統合自動化システム（３２０）は、粘度センサー（２３０）から送信された燃料油の粘度値がエンジン（Ｅ）で要求される粘度を満たすように、燃料油の温度と燃料油の混合割合とを調節し、調節した燃料油の温度に関するフィードバックは第１温度センサー（２４１）から送られた燃料油の温度値から受け、調節した燃料油の混合割合に関するフィードバックは粘度センサー（２３０）から送信された燃料油の粘度値から受ける。
【０１５８】
本実施形態の統合自動化システム（３２０）は、第１実施形態と同様に、複数の調節バルブ（Ｖ１１，Ｖ１２）の開度を調節して燃料油の混合割合を調節し、本実施形態の循環部（２００）が蒸気制御バルブ（Ｖ５２）を備える場合には、蒸気制御バルブ（Ｖ５２）の開度を調節して燃料油の加熱程度を調節し、本実施形態の循環部（２００）が冷却器（２５０）及び三方バルブ（Ｖ６０）を備える場合は、三方バルブ（Ｖ６０）の開度を調節して燃料油の冷却程度を調節する。
【０１５９】
本実施形態の船舶用燃料油の転換システムは、第１実施形態と同様に、蒸気トレースバルブ（Steam Tracing Valve，Ｖ５１）をさらに備え、本実施形態の統合自動化システム（３２０）は、第１実施形態と同様に、蒸気トレースバルブ（Ｖ５１）の開度を調節する。
【０１６０】
本実施形態の蒸気トレースバルブ（Ｖ５１）は、第１実施形態と同様に、長時間エンジンを停止したことにより、配管内でＨＦＯの温度が低下して移送できない場合に、ＨＦＯを加熱する目的で使用され、ＭＧＯまたはＭＤＯの場合には一般的に使用されない。
【０１６１】
本実施形態の船舶用燃料油の転換システムは、ＭＧＯが貯蔵された第１タンク（Ｔ１）、ＨＦＯが貯蔵された第２タンク（Ｔ２）、冷却器（２５０）、第３バルブ（Ｖ３３）、及び三方バルブ（Ｖ６０）を備え、エンジン（Ｅ）で要求される最大要求粘度が２５ｃＳｔである場合、エンジン（Ｅ）の燃料としてＨＦＯのみを供給する途中でエンジン（Ｅ）の燃料をＭＧＯに転換する方法は、第１実施形態と同様である。
【０１６２】
ただし、本実施形態では、第２調節バルブを完全に閉じ（０％）、第１流量計が送信した流量値と第２流量計が送信した流量値とによって求めた前記第１燃料油の割合が所定値以上になると、燃料油の転換が完了したと判断する。
【０１６３】
図３は、本発明の第３実施形態に係る船舶用燃料油の転換システムの概略図である。
【０１６４】
図３に示された第３実施形態の船舶用燃料油の転換システムは、図１に示された第１実施形態における船舶用燃料油の転換システムと比較して、割合計算装置（３１０）を備えず、第２温度センサー（２４４）及び第３温度センサー（２４５）をさらに備えるという点に相違する。以下では相違点を中心に説明する。前述した第１実施形態の船舶用燃料油の転換システムと同じ部材は詳細な説明を省略する。
【０１６５】
図３を参照して、本実施形態の船舶用燃料油の転換システムは、第１実施形態と同様に、供給部（１００）、循環部（２００）、及び制御部（３００）を備える。
【０１６６】
本実施形態の供給部（１００）は、第１実施形態と同様に、複数のタンク（Ｔ１，Ｔ２）、複数の調節バルブ（Ｖ１１，Ｖ１２）、及び供給ポンプ（１１０）を備え、複数のタンク（Ｔ１，Ｔ２）に貯蔵された燃料油を循環部（２００）に送る。
【０１６７】
本実施形態の複数のタンク（Ｔ１，Ｔ２）は、第１実施形態と同様に、それぞれ異なる種類の燃料油を貯蔵し、それぞれ、ＨＦＯ供給タンク(HFO Service Tank)、ＨＦＯ沈降タンク(HFO Settling Tank)、ＨＦＯバンカータンク(HFO Bunker Tank)、ＭＤＯ供給タンク(MDO Service Tank)、ＭＤＯ貯蔵タンク(MDO Storage Tank)、ＭＧＯ供給タンク(MGO Service Tank)、ＭＧＯ貯蔵タンク(MGO Storage Tank)のいずれかである。
【０１６８】
複数のタンク（Ｔ１，Ｔ２）から燃料油が排出される排出ライン（Ｌ１，Ｌ２）上には、第１実施形態と同様に、それぞれ緊急遮断バルブ（Ｖ４１，Ｖ４２）を設置する。本実施形態の緊急遮断バルブ（Ｖ４１，Ｖ４２）は、第１実施形態と同様に、空気または油圧で開閉が調節され、機関室に火災が発生した場合に燃料油の供給を遮断して火災が拡大を防止するために設置される。
【０１６９】
本実施形態も、第１実施形態と同様に、２つのタンク（Ｔ１，Ｔ２）を備え、第１タンク（Ｔ１）はＭＧＯを貯蔵し、第２タンク（Ｔ２）はＨＦＯを貯蔵する場合を例に説明する。
【０１７０】
本実施形態の複数の調節バルブ（Ｖ１１，Ｖ１２）は、第１実施形態と同様に、複数のタンク（Ｔ１，Ｔ２）から燃料油が排出される複数の排出ライン（Ｌ１，Ｌ２）上にそれぞれ設置される。第１実施形態と同様に、本実施形態が２つのタンク（Ｔ１，Ｔ２）を備える場合、第１タンク（Ｔ１）から燃料油が排出される第１排出ライン（Ｌ１）上に第１調節バルブ（Ｖ１１）が設置され、第２タンク（Ｔ２）から燃料油が排出される第２排出ライン（Ｌ２）上に第２調節バルブ（Ｖ１２）が設置される。
【０１７１】
本実施形態の複数の調節バルブ（Ｖ１１，Ｖ１２）は、第１実施形態と同様に、後述する制御部（３００）の統合自動化システム（IAS;Integrated Automation System，３２０）によって開度が調節され、複数のタンク（Ｔ１，Ｔ２）から供給ポンプ（１１０）に供給される燃料油の流量を調節する。また、本実施形態の複数の調節バルブ（Ｖ１１，Ｖ１２）は、第１実施形態と同様に、平常時には統合自動化システム（３２０）によって自動的に開度が調節されるが、非常時に手動操作ができるように構成される。
【０１７２】
本実施形態の供給ポンプ（１１０）は、第１実施形態と同様に、複数のタンク（Ｔ１，Ｔ２）から排出された燃料油の圧力を上昇させて循環部（２００）に供給し、複数が並列に連結される。複数のタンク（Ｔ１，Ｔ２）からそれぞれ排出された互いに異なる種類の燃料油は、第１実施形態と同様に、互いに混合された後で供給ポンプ（１１０）に供給される。
【０１７３】
本実施形態がＭＧＯを貯蔵した第１タンク（Ｔ１）とＨＦＯを貯蔵した第２タンク（Ｔ２）とを備える場合を例に説明すると、第１実施形態と同様に、第１タンク（Ｔ１）から排出されたＭＧＯを供給ポンプ（１１０）に送る第１排出ライン（Ｌ１）と、第２タンク（Ｔ２）から排出されたＨＦＯを供給ポンプ（１１０）に送る第２排出ライン（Ｌ２）とは、供給ポンプ（１１０）の前段で合流し、第１タンク（Ｔ１）から排出されたＭＧＯと第２タンク（Ｔ２）から排出されたＨＦＯとは、供給ポンプ（１１０）の前段で混合された後で供給ポンプ（１１０）に送られる。
【０１７４】
本実施形態の供給部（１００）は、第１実施形態と同様に、前記供給ポンプ（１１０）の下流から分岐して前記供給ポンプ（１１０）の前段に合流されるリターンライン（Ｌ３）をさらに備える。
【０１７５】
本実施形態のリターンライン（Ｌ３）は、第１実施形態と同様に、供給ポンプ（１１０）が圧縮した燃料油からエンジン（Ｅ）の消費量を超える燃料油を分岐させて供給ポンプ（１１０）の前段に送る。リターンライン（Ｌ３）上には、第１実施形態と同様に、流体の流量と開閉とを調節する第１バルブ（Ｖ３１）を設置する。
【０１７６】
本実施形態の供給部（１００）は、第１実施形態と同様に、供給ポンプ（１１０）の下流に設置される第１流量計（１２０）をさらに備える。本実施形態の第１流量計（１２０）は、第１実施形態と同様に、複数のタンク（Ｔ１，Ｔ２）からそれぞれ排出された後に混合され、供給ポンプ（１１０）によって循環部（２００）に供給される燃料油の流量を測定する。本実施形態の第１流量計（１２０）によって測定された流量値は、統合自動化システム（３２０）に送信される。
【０１７７】
本実施形態の船舶用燃料油の転換システムは、第１実施形態と同様に、第１流量計（１２０）がエンジン（Ｅ）における時間当たりの燃料油の消費量などの流量を指示するように運用され、第１流量計（１２０）がエンジン（Ｅ）における時間当たりの燃料油の消費量よりも少ないか多い流量を指示したらシステムに問題があることを検知する。
【０１７８】
ただし、本実施形態の供給部（１００）は、第１実施形態とは異なり、供給ポンプ（１１０）の下流に設置される第２温度センサー（２４４）をさらに備える。本実施形態の第２温度センサー（２４４）は、複数のタンク（Ｔ１，Ｔ２）からそれぞれ排出された後に混合されて循環部（２００）に供給される燃料油の温度を測定し、第２温度センサー（２４４）によって測定された燃料油の温度値は、統合自動化システム（３２０）に送信される。
【０１７９】
本実施形態の供給部（１００）は、第１実施形態と同様に、複数のタンク（Ｔ１，Ｔ２）から燃料油を排出させる複数の排出ライン（Ｌ１，Ｌ２）上にそれぞれ設置される複数の逆流防止バルブ（Ｖ２１，Ｖ２２）をさらに備える。本実施形態が２つのタンク（Ｔ１，Ｔ２）を備える場合、第１実施形態と同様に、第１タンク（Ｔ１）から燃料油が排出される第１排出ライン（Ｌ１）上に第１逆流防止バルブ（Ｖ２１）が設置され、第２タンク（Ｔ２）から燃料油が排出される第２排出ライン（Ｌ２）上に第２逆流防止バルブ（Ｖ２２）が設置される。
【０１８０】
本実施形態の複数の逆流防止バルブ（Ｖ２１，Ｖ２２）は、第１実施形態と同様に、一方のタンクから排出された燃料油が他方のタンクに流入することを防止し、各タンク（Ｔ１，Ｔ２）内で異種の燃料油が混合することを防止する。
【０１８１】
本実施形態の循環部（２００）は、第１実施形態と同様に、循環ポンプ（２１０）、第１温度センサー（２４１）、及び粘度センサー（２３０）を備え、供給部（１００）から供給された燃料油を循環させてエンジン（Ｅ）に供給する。
【０１８２】
本実施形態の循環ポンプ（２１０）は、第１実施形態と同様に、供給部（１００）から循環部（２００）に供給された燃料油の圧力を上昇させて燃料油を循環させ、複数が並列に連結される。本実施形態の循環部（２００）は循環ポンプ（２１０）によって加圧されて約８〜１０ｂａｒの圧力を維持することが好ましい。
【０１８３】
本実施形態の船舶用燃料油の転換システムは、第１実施形態と同様に、ＨＦＯの圧力を上昇させた後に加熱するので、不純物の圧力も高くなって不純物の沸点が高くなり、最終的にはＨＦＯに含まれる不純物の気化が防止される。
【０１８４】
第１実施形態と同様に、本実施形態の循環部（２００）を循環する燃料油は、エンジン（Ｅ）に供給されて燃料として使用され、エンジン（Ｅ）で使用されずに残った燃料油は、エンジン（Ｅ）から排出されて再び循環部（２００）を循環する。供給部（１００）は、エンジン（Ｅ）で消費された燃料油分だけを新たに循環部（２００）に供給して、循環部（２００）には平均的に一定の流量が循環することになる。本実施形態の循環部（２００）には、第１実施形態と同様に、エンジン（Ｅ）の最大燃料消費量の約３倍に相当する流量が循環することが好ましい。
【０１８５】
本実施形態の第１温度センサー（２４１）は、第１実施形態と同様に、エンジン（Ｅ）に供給される燃料油の温度を測定する。ただし、第１温度センサー（２４１）によって測定された燃料油の温度値は、第１実施形態とは異なり、統合自動化システム（３２０）に送信される。
【０１８６】
本実施形態の粘度センサー（２３０）は、第１実施形態と同様に、エンジン（Ｅ）に供給される燃料油の粘度を測定する。ただし、粘度センサー（２３０）によって測定された燃料油の粘度値は、第１実施形態とは異なり、統合自動化システム（３２０）に送信される。
【０１８７】
本実施形態の循環部（２００）は、第１実施形態と同様に、循環部（２００）を循環する燃料油を加熱する加熱器（２２０）をさらに備える。本実施形態の加熱器（２２０）は、第１実施形態と同様に、循環部（２００）を循環する燃料油の粘度がエンジン（Ｅ）で要求される粘度よりも高い場合には燃料油を加熱して粘度を下げ、蒸気または電気を加熱源として使用することができる。本実施形態の加熱器（２２０）が蒸気を加熱源として使用する場合、第１実施形態と同様に、加熱器（２２０）には蒸気流量と開閉とを調節する蒸気制御バルブ（Ｖ５２）を連結する。
【０１８８】
本実施形態の加熱器（２２０）は、第１実施形態と同様に、特にエンジン（Ｅ）でＨＦＯのみを燃料として使用するか、ＨＦＯと他の燃料油が混合された燃料油を燃料として使用する場合に用いられる。
【０１８９】
本実施形態の循環部（２００）は、第１実施形態と同様に、加熱器（２２０）と並列に連結される第２バルブ（Ｖ３２）をさらに備える。第２バルブ（Ｖ３２）は、第１実施形態と同様に、燃料油を加熱器（２２０）によって加熱する必要がないため、燃料油が加熱器（２２０）を迂回する場合に開放される。
【０１９０】
本実施形態の循環部（２００）は、第１実施形態と同様に、循環部（２００）を循環する燃料油を冷却する冷却器（２５０）をさらに備える。本実施形態の冷却器（２５０）は、第１実施形態と同様に、循環部（２００）を循環する燃料油の粘度がエンジン（Ｅ）で要求される粘度より低い場合には、燃料油を冷却して粘度を上昇させ、特にＭＧＯの場合には冷却器（２５０）による冷却過程を経て粘度を上昇させた後でエンジン（Ｅ）に供給する必要がある場合もある。
【０１９１】
本実施形態の冷却器（２５０）は、第１実施形態と同様に、冷却水などを冷媒として使用して燃料油を冷却し、本実施形態の船舶用燃料油の転換システムは、第１実施形態と同様に、冷媒を冷却する別の冷却装置を備えることもできる。
【０１９２】
本実施形態において、供給部（１００）から循環部（２００）に供給された燃料油が冷却器（２５０）に送られるライン上には、第１実施形態と同様に、三方バルブ（Ｖ６０）が設置され、三方バルブ（Ｖ６０）は燃料油を２つの流れに分岐させ、一方を冷却器（２５０）に送り、他方は冷却器（２５０）を迂回させてエンジン（Ｅ）に直接送られる。
【０１９３】
本実施形態の三方バルブ（Ｖ６０）によって分岐された燃料油が冷却器（２５０）に送られるライン上には、第１実施形態と同様に、燃料油の流量と開閉を調節する第３バルブ（Ｖ３３）が設置される。また、冷却器（２５０）によって冷却された燃料油が冷却器（２５０）から排出されるライン上には、第１実施形態と同様に、燃料油の逆流を防止する第３逆流防止バルブ（Ｖ２３）が設置される。
【０１９４】
本実施形態の冷却器（２５０）によって冷却された後に冷却器（２５０）から排出された燃料油は、三方バルブ（Ｖ６０）によって分岐された後に冷却器（２５０）を迂回した燃料油と合流してエンジン（Ｅ）に送られる。
【０１９５】
本実施形態の循環部（２００）は、第１実施形態と同様に、エンジン（Ｅ）の下流に設置され、エンジン（Ｅ）で使用されて残った燃料油を一時貯蔵して循環ポンプ（２１０）に供給する燃料油管（２４０）をさらに備える。
【０１９６】
ただし、本実施形態の循環部（２００）は、第１実施形態とは異なり、エンジン（Ｅ）の下流に設置され、エンジン（Ｅ）で使用されずに残った燃料油の温度を測定する第３温度センサー（２４５）をさらに備える。本実施形態の第３温度センサー（２４５）によって測定された燃料油の温度値は、統合自動化システム（３２０）に送信される。
【０１９７】
本実施形態の制御部（３００）は、第１実施形態と同様に、統合自動化システム（３２０）を備え、供給部（１００）及び循環部（２００）を制御する。ただし、本実施形態の制御部（３００）は、第１実施形態とは異なり、割合計算装置（３１０）を備えない。
【０１９８】
本実施形態の統合自動化システム（３２０）は、第１温度センサー（２４１）で測定した温度値、第２温度センサー（２４４）で測定した温度値、第３温度センサー（２４５）で測定した温度値、及び粘度センサー（２３０）で測定した粘度値を送信される。また、本実施形態の統合自動化システム（３２０）には、第１流量計（１２０）で測定した流量値が送信される。
【０１９９】
また、本実施形態の統合自動化システム（３２０）は、粘度センサー（２３０）から送られて燃料油の粘度値がエンジン（Ｅ）で要求される粘度を満たすため、燃料油の温度と燃料油の混合割合を調節し、調節した燃料油の温度に関するフィードバックは第１温度センサー（２４１）から送られた燃料油の温度値から受け、調節した燃料油の混合割合に関するフィードバックは粘度センサー（２３０）から送信された燃料油の粘度値から受ける。
【０２００】
本実施形態の統合自動化システム（３２０）は、第１実施形態と同様に、複数の調節バルブ（Ｖ１１，Ｖ１２）の開度を調節して燃料油の混合割合を調節し、本実施形態の循環部（２００）が蒸気制御バルブ（Ｖ５２）を備える場合には、蒸気制御バルブ（Ｖ５２）の開度を調節して燃料油の加熱程度を調節し、本実施形態の循環部（２００）が冷却器（２５０）と三方バルブ（Ｖ６０）を備える場合は、三方バルブ（Ｖ６０）の開度を調節して燃料油の冷却程度を調節する。
【０２０１】
ただし、本実施形態の統合自動化システム（３２０）は、第１温度センサー（２４１）で測定される燃料油の温度が設定値になるように調節することができる。第１温度センサー（２４１）の設定値は、次の式を用いて計算する。Ｔ１は第１温度センサー（２４１）の設定値、Ｑ１は第１流量計（１２０）で測定した燃料油の流量値、Ｔ２は第２温度センサー（２４４）で測定した燃料油の温度、Ｑ２はエンジン（Ｅ）で使用後に残ってエンジン（Ｅ）から排出された燃料油の流量、Ｔ３は第３温度センサー（２４５）で測定した燃料油の温度、Ｑ３は循環ポンプ（２１０）の容量を意味する。また、「２」は要求される燃料油の温度変化量が一分当たりに２℃であることを意味する。
【０２０２】
（数９）
Ｔ１×Ｑ１＋Ｔ２×Ｑ２＝（Ｔ３−２）×Ｑ３
Ｔ１×Ｑ１＝（Ｔ３−２）×Ｑ３−Ｔ２×Ｑ２
∴Ｔ１＝｛（Ｔ３−２）×Ｑ３−Ｔ２×Ｑ２｝÷Ｑ１
【０２０３】
本実施形態の船舶用燃料油の転換システムは、第１実施形態と同様に、蒸気トレースバルブ（Steam Tracing Valve，Ｖ５１）をさらに備えて、本実施形態の統合自動化システム（３２０）は、第１実施形態と同様に、蒸気トレースバルブ（Ｖ５１）の開度を調節する。
【０２０４】
本実施形態の蒸気トレースバルブ（Ｖ５１）は、第１実施形態と同様に、長時間エンジンを停止したことにより、配管内でＨＦＯの温度が低下して移送できない場合、ＨＦＯを加熱する目的で使用され、ＭＧＯまたはＭＤＯの場合には一般的に使用しない。
【０２０５】
本実施形態の船舶用燃料油の転換システムにＭＧＯを貯蔵した第１タンク（Ｔ１）、ＨＦＯを貯蔵した第２タンク（Ｔ２）、冷却器（２５０）、第３バルブ（Ｖ３３）、及び三方バルブ（Ｖ６０）が備えられ、エンジン（Ｅ）で要求される最大の要求粘度が２５ｃＳｔである場合、エンジン（Ｅ）の燃料としてＨＦＯのみを供給する途中でエンジン（Ｅ）の燃料をＭＧＯに転換する方法は、第１実施形態と同様である。
【０２０６】
本発明は、前記実施形態に限定されず、本発明の技術的要旨を逸脱しない範囲内で様々な形態で修正または変更して実施できることは、本発明が属する技術分野で通常の知識を有する者にとって明らかである。
【図１】
2019535571.tif 000003
【図２】
2019535571.tif 000004
【図３】
2019535571.tif 000005
【国際調査報告】
2019535571.tif 000006
2019535571.tif 000007
2019535571.tif 000008
2019535571.tif 000009